(57)【特許請求の範囲】
【請求項１】
扉の前面板の一側縁に、後方に向かって延出する後向片と、この後向片の後端より内向きに延出する内向片とを、一体的に折曲形成し、前記前面板に設けた取付孔に、外側面に外向片が突設された把手部材を、外向片が前記前面板の後面と対向するように嵌合し、前記前面板の後面と外向片の前面との間に挟入した補強部材の外側端部を、前記前面板と後向片と内向片とにより形成される空間部内に、前後方向への動きを規制するように嵌合し、外向片と補強部材とに、施錠装置を、その本体が、外向片と補強部材とに形成された開口部へ挿通され、かつ前端のキー差込み部が前面板の前方に露出するようにして、ねじにより固定したことを特徴とする扉への施錠装置の取付構造。
【請求項２】
補強部材を、金属板を折曲することにより、前向コ字状断面をなす基板と、その外側方の側片の前端に連設された外向きの前片と、この前片の外側縁より後向きに延出する後向側片とを有するものとし、前記基板を、前面板の後面と把手部材の外向片との間に挟入し、かつ前記補強部材の前片と後向側片とを、前面板の空間部内に嵌合してなる請求項１記載の扉への施錠装置の取付構造。
【請求項３】
把手部材における外向片の開口縁に、位置決め片を前向きに突設し、この位置決め片を、補強部材の開口に後方より嵌合してなる請求項１または２記載の扉への施錠装置の取付構造。
【請求項４】
施錠装置に、外方を向く１対の固定片を有する固定金具を固着し、両固定片を把手部材の外向片の後面に当接させて、後方よりねじにより補強部材に固定してなる請求項１〜３のいずれかに記載の扉への施錠装置の取付構造。
【請求項５】
把手部材の外向片の後面に、１対の後向き突片を突設し、この両後向き突片間に、固定金具の１対の両固定片を嵌合してなる請求項４記載の扉への施錠装置の取付構造。
【発明の詳細な説明】
【技術分野】
【０００１】
本発明は、例えば板金製の扉に、シリンダ錠等の施錠装置を、強固に取付けうるようにした取付構造に関する。
【背景技術】
【０００２】
板金製の扉に施錠装置を取付けたものとしては、例えば特許文献１及び２に記載されているものがある。
【特許文献１】特開平８−１４７５５６号公報(図２、図３)
【特許文献２】特開平８−３３８１６１号公報(図１、図２)
【発明の開示】
【発明が解決しようとする課題】
【０００３】
上記特許文献１に記載のものにおいては、単に扉の前面板に、施錠装置を、キー差込み部が前方に突出するようにして直接取付けてあるので、前面板における施錠装置取付部の補強効果はなく、施錠装置の取付強度は小さい。
【０００４】
特許文献２に記載のものにおいても、扉の前面板(表板)に形成された開口部に、合成樹脂等よりなる把手部材(エスカッション)を嵌着し、この把手部材に施錠装置を取り付けているので、前面板を補強することはできず、従って施錠装置の取付強度を大とすることはできない。
【０００５】
本発明は、上記問題点に鑑みてなされたもので、扉における施錠装置の取付部を、簡単な手段で補強することにより、施錠装置を前面板に強固に取付けうるようにした、扉への施錠装置の取付構造を提供することを目的としている。
【課題を解決するための手段】
【０００６】
本発明によると、上記課題は、次のようにして解決される。
（１)扉の前面板の一側縁に、後方に向かって延出する後向片と、この後向片の後端より内向きに延出する内向片とを、一体的に折曲形成し、前記前面板に設けた取付孔に、外側面に外向片が突設された把手部材を、外向片が前記前面板の後面と対向するように嵌合し、前記前面板の後面と外向片の前面との間に挟入した補強部材の外側端部を、前記前面板と後向片と内向片とにより形成される空間部内に、前後方向への動きを規制するように嵌合し、外向片と補強部材とに、施錠装置を、その本体が、外向片と補強部材とに形成された開口部へ挿通され、かつ前端のキー差込み部が前面板の前方に露出するようにして、ねじにより固定する。
【０００７】
このような構成とすると、扉の前面板と、それに嵌合した把手部材の外向片との間に、外側端部が前面板の一側縁の空間部内に嵌合された補強部材を挟入し、この補強部材と外向片とに、施錠装置をねじにより固定したことにより、扉における前面板の施錠装置取付部が、把手部材の外向片と補強部材とにより補強され、施錠装置を、前面板に強固に取付けることができる。
また、補強部材の外側端部が、前面板の一側縁の空間部内に、前後方向への動きを規制するように嵌合されているので、前面板ヘの補強部材の取付けに、溶接やねじ等の固定手段を用いる必要がなく、補強部材の組付工数を削減しうるとともに、前面板に補強部材を取付けるための加工を何ら施す必要がない。
【０００８】
（２）上記(１)項において、補強部材を、金属板を折曲することにより、前向コ字状断面をなす基板と、その外側方の側片の前端に連設された外向きの前片と、この前片の外側縁より後向きに延出する後向側片とを有するものとし、前記基板を、前面板の後面と把手部材の外向片との間に挟入し、かつ前記補強部材の前片と後向側片とを、前面板の空間部内に嵌合する。
【０００９】
このような構成とすると、補強部材は、金属板を複数に折曲したものよりなり、その曲げ剛性が大となるので、前面板における施錠装置取付部の補強効果が高く、施錠装置の取付強度がより高まる。
【００１０】
（３）上記(１)または(２)項において、把手部材における外向片の開口縁に、位置決め片を前向きに突設し、この位置決め片を、補強部材の開口に後方より嵌合する。
【００１１】
このような構成とすると、把手部材の外向片に対し、補強部材が位置決めされ、この状態で、ねじにより施錠装置を固定しうるため、組付け時の作業牲が向上する。
【００１２】
（４）上記(３)項において、施錠装置に、外方を向く１対の固定片を有する固定金具を固着し、両固定片を把手部材の外向片の後面に当接させて、後方よりねじにより補強部材に固定する。
【００１３】
このような構成とすると、固定金具の１対の固定片を、外向片の後面に当接させ、後方よりねじにより補強部材に固定するだけで、施錠装置を、扉の後面側より簡単に取付けることができる。
【００１４】
（５）上記(４)項において、把手部材の外向片の後面に、１対の後向き突片を突設し、この両後向き突片間に、固定金具の１対の両固定片を嵌合する。
【００１５】
このような構成とすると、把手部材の外向片に対し、施錠装置が位置決めされ、この状態で、ねじにより施錠装置を固定しうるので、組付け時の作業性が向上する。
【発明の効果】
【００１６】
本発明によれば、扉における前面板の施錠装置取付部が、前面板に嵌合した把手部材の外向片と、この外向片と前面板との間に挟入した補強部材とにより補強されるので、施錠装置を、前面板に強固に取付けることができる。
【発明を実施するための最良の形態】
【００１７】
以下、本発明の実施形態を、図面に基づいて説明する。
図１は、本発明の一実施形態を備えるシューズロッカーの正面図、図２は、同じく一部の拡大正面図で、縦横に区画された多数の収納室１の前面には、窓付きの扉２が、右側端部のヒンジ５５(詳細は後述する)を中心として、前方に開閉しうるように取付けられている。
【００１８】
図３の拡大横断平面図に示すように、各扉２は、化粧鋼板よりなる前面板３と、その後面に装着された板金製の後面板４とを備え、前面板３の左側部には、上下方向を向く長方形の取付孔５が設けられている。この取付孔５の左右の縁部の後面には、対向する鉤形フランジ６、６が突設されている。
【００１９】
扉２の左側端部の後面には、ゴム等の緩衝材７が取付けられている。
前面板３の周縁には、後向片８と、その後端より内方を向く内向片９と、この内向片９の内端に連設された、後向片８よりも短寸の前向片１０とが折曲形成されている。
【００２０】
前面板３における上記取付孔５には、縦長の方形をなす合成樹脂製の枠部材１１が取付けられている。
枠部材１１は、左右の側片１２、１３、上片１４、底片１５、及び後片１６により、前面が開口する凹入部１７が形成された縦長箱状の把手本体１８と、前面板３の側端部の後面と対向するようにして、左方の側片１２の外側面のほぼ全高に亘って突設された外向片１９とを備えている。
【００２１】
左方の側片１２の前端部には、内向折曲部１２aが形成され、この内向折曲部１２aの後側は、外側方に凹入する上下方向に長い手掛け部２０となっている。内向折曲部１２aの内端、上片１４と底片１５、及び右方の側片１３の前端には、外向きの枠状縁片２１が、枠状をなすようにして形成されている。内向折曲部１２aと、その部分における枠状縁片２１との対向面間には、前面板３の板厚よりも若干大寸の外側方に開口する係合溝２２が形成されている。
【００２２】
把手本体１８の右方の側片１３は、前方に向かって外方を向くように傾斜している。側片１３の外側面のやや後部には、前方を向く上下２個の弾性係合片２３、２３が、側片１３よりやや離間させて、かつ前端が枠状縁片２１の後面と近接して対向するようにして連設されている。枠状縁片２１と各弾性係合片２３の前端との間に形成された隙間は、前面板３の板厚とほぼ等しい係合溝２４となっている。
上片１４と底片１５には、多数の換気孔２５が穿設されている。
【００２３】
後片１６の左右の側端部を除くほぼ全面には、上下方向に長い長方形の窓孔２６が穿設され、この窓孔２６に、後片１６と等しい厚さのアクリル等よりなる透明板２７を嵌め込むことにより、収納室１内を前方より見通しうる窓Ｗが形成されている。
【００２４】
枠部材１１を前面板３に取付けるには、図４に示すように、枠部材１１全体を斜めにして、その外向片１９側を、前面板３の取付孔５に前方より挿入し、把手本体１８の左方の側片１２の前端部に形成された係合溝２２を、取付孔５における左側の側縁部に係合させる。
【００２５】
ついで、枠部材１１の右方部分を後向きに回動させ、把手本体１８の右端部側を、前面板３の取付孔５内に、右側部の枠状縁片２１の後面が取付孔５の側縁部の前面と当接するまで嵌合する。すると、右側の側片１３の外面に設けた弾性係合片２３が、取付孔５の右方の開口縁に当接して、左方に弾性変形させられ、かつ弾性係合片２３の前端が、開口縁を乗り越えて右方に弾性復元することにより、取付孔５の右方の側縁部が係合溝２４と係合して、枠部材１１が前方に抜け外れるのが防止される。
【００２６】
図５の後面図にも示すように、枠部材１１における外向片１９の上端部の後面には、ラッチ２８が、垂直軸２９まわりに回動しうるように、かつ捩りばね３０により、常時外側方に付勢して取付けられている。このラッチ２８は、扉２の開閉時において、縦仕切材３１の側面に形成された係合孔３２と自動的に係脱しうるようになっている。
【００２７】
外向片１９の上下方向の中央部には、施錠装置であるシリンダ錠３３が、次のようにして取付けられている。
図５の後面図及び図６の拡大横断平面図に示すように、前面板３と枠部材１１の外向片１９との間には、金属板を複数に折曲して形成された補強部材３４が挟入されている。この補強部材３４は、平面視前向コ字状断面をなす基板３５と、その外方の側片３５aの前端に連設された外側方に延出する前片３６と、この前片３６の側端より後向きに延出する後向側片３７とからなっている。
【００２８】
後向側片３７の前後寸法は、前面板３と内向片９との間の空間部Ｓ内に、前後方向の動きを規制し、前後方向にがたつくのを防止して嵌合しうるように、前面板３と内向片９との対向面間の寸法とほぼ等しい寸法としてある。
また、前片３６の左右寸法は、これを空間部Ｓ内に挿入した際、側片３５aと後向側片３７の外側面(図６の右側面)が、それぞれ、前面板３における前向片１０と後向片８の内側面(図６の左側面)に当接しうる寸法とされている。
【００２９】
図７の縦断面図にも示すように、外向片１９と、基板３５における後片３５bの上下方向の中央部とには、それぞれ、シリンダ錠３３の錠本体３３aが後方より挿入可能な大きさの外側方に開口する切欠き３８と、内側方に開口する切欠き３９とが形成されている。
外向片１９側の切欠き３８の上下の端縁には、補強部材３４の上下方向への移動を規制する上下１対の位置決め片４０、４０が、前向きに突設されている。
【００３０】
シリンダ錠３３を取付けるには、枠部材１１を前面板３に装着する前において、まず補強部材３４における前片３６と後向側片３７を、前面板３の側端部に折曲して形成された、後向片８と内向片９と前向片１０との間の空間部Ｓ内に、補強部材３４全体を斜め前後方向に傾斜させて挿入する(図６参照)。
【００３１】
ついで、補強部材３４の切欠き３９に、上述した要領で前面板３の取付孔５に嵌着した枠部材１１における外向片１９の上下の位置決め片４０、４０を、図７に示すように後方より嵌合する。これにより、補強部材３４が上下方向に位置決めされるとともに、基片３５の内側面が把手本体１８の外側面と近接または当接することにより、補強部材３４は、外向片１９と前面板３との対向面間に、がたなく挟入される(図６参照)。
【００３２】
ついで、シリンダ錠３３の錠本体３３aを、外向片１９と補強部材３４の切欠き３８、３９に後方より挿入し、キー差込み部３３bを前面板３に穿設した通孔４１より前方に突出させたのち、錠本体３３aの後端面に固着された、側面視ハット形断面をなす固定金具４２の上下の固定片４２a、４２aを、外向片１９の後面に当接させる。この際、両固定片４２aを、外向片１９の後面に突設した上下１対の後向き突片４３、４３間に嵌合することにより、シリンダ錠３３を上下方向に位置決めすることができる。
【００３３】
ついで、図７に示すように、固定金具４２の上下の固定片４２aと外向片１９とに穿設した取付孔４４、４４に、後方より止めねじ４５、４５を挿入し、これらを、補強部材３４の基板３５に穿設した上下のめねじ孔４６、４６に螺合して締め付ける。
これにより、扉２における前面板３のシリンダ錠３３の取付部が、枠部材１１の把手本体１８に連設された外向片１９と、補強部材３４により補強され、シリンダ錠３３を、扉２の前面板３に強固に取付けることができる。
【００３４】
錠本体３３aの後面にねじ止めされた、キーの操作により回動させられる鉤状の施解錠レバー４７は、収納室１における左側の縦仕切材３１の内側面に設けた施解錠孔(図示略)と係脱しうるようになっている。
【００３５】
図５の後面図及び図８、図９の拡大断面図に示すように、上述した後面板４の右側部(正面視では左側部)には、枠部材１１における外向片１９の後面を露出させうるとともに、把手本体１８の後方への突出部と干渉しない大きさの、外側方が開放されたコ字状の開口４８が形成されている。
【００３６】
また、後面板４の上下の端縁(下方は図示略)には、図８に示すように、前面板３の上下の端縁に形成された前向片１０、１０の対向面間に嵌合可能な前向片４９が折曲形成されている。なお、前向片４９の前後寸法は、前面板３の後向片８のそれよりも若干短寸としてある。
【００３７】
図９に示すように、後面板４の左端縁(正面視では右端縁)における上下の端部を除いた部分には、上記前向片４９と等しい前後寸法の前向片５０と、その前端より外側方に延出する外向片５１と、この外向片５１の側端より後向きに延出する後向片５２とが折曲形成されている。後向片５２の前後寸法は、前面板３と内向片９との間の空間部Ｓ内にがたなく嵌合しうるように、それらの対向面間の寸法とほぼ等しい寸法としてある。
また、外向片５１の左右寸法は、これを空間部Ｓ内に挿入した際、前向片５０と後向片５２の外側面(図９の左側面)が、それぞれ、前面板３における前向片１０と後向片８の内側面(図９の右側面)に当接しうる寸法としてある。
【００３８】
後面板４を前面板３に取付けるには、まず、後面板４全体を斜め前後方向に傾斜させて、その外向片５１と後向片５２を、前面板３の側端部における後向片８と内向片９と前向片１０との間の空間部Ｓ内に挿入する(図９参照)。
【００３９】
ついで、図５に示すように、枠部材１１の外向片１９の後面の上下両端部に、後面板４の開口４８における外側端部の対向縁に突設された上下の突片５３、５３を、止めねじ５４、５４により固定すれば、後面板４は、前面板３の後面に、互いの対向面同士が離間するようにして取付けられる。
【００４０】
図２及び図５の後面図に示すように、上下に並ぶ各扉２の右側端上部(図５においては左側端上部)の隅部には、ヒンジ５５が、次のようにして取付けられている。
後方斜視図である図１０に示すように、ヒンジ５５は、金属製の基材５６と、それと一体をなす上向きのヒンジピン５７とからなっている。
【００４１】
基材５６は、上下方向を向く側片５６aと、その前縁に内向き折曲された前片５６bと、同じく側片の後縁に内向き折曲された、前片５６bの左右寸法よりも若干長寸の後片５６cとを有し、平面形は、前面板３の上端部と側端部の空間部Ｓ内にがたなく挿入可能な内向きコ字状をなしている。
後片５６cは、上端部に内向突片５６dを連設することにより、後面形が倒立Ｌ字状をなしている。後片５６cの下端部の端縁部には、外側方に凹入する内向きコ字状の切欠溝５８が形成されている。
【００４２】
上記ヒンジピン５７は、側片５６aと前片５６bとの連設隅部の上面に突設されている。
後片５６cの上下方向の中間部と内向突片５６dの内側端部には、めねじ孔５９、５９が穿設されている。
【００４３】
図１０の後面視において、前面板３の左側端上部の隅部における上部と側部の前向片１０、１０は、所要長さに切り欠いてあり、両切欠部６０、６０より、ヒンジ５５を空間部Ｓ内に挿入しうるようになっている。
前面板３の上部の後向片８の側端部には、ヒンジピン５７の挿通孔６１が穿設されている。
【００４４】
ヒンジ５５を空間部Ｓ内に挿入した際、基材５６の後片５６cの下端が、側部の切欠部６０における前向片１０の上端のストッパ面６２に当接して、ヒンジ５５が下方に落下するのが防止されるようになっている。なお、ヒンジ５５が前向片１０のストッパ面６２と当接する位置まで下方に移動した際でも、ヒンジピン５７が挿通孔６１より抜け外れないようにしてある。
【００４５】
ヒンジ５５を取付けるには、基材５６の上端と側片５６aの外側面が、それぞれ上部の後向片８の下面と側部の後向片８の内面に当接するまで、ヒンジ５５を前面板３の上端隅部の空間部Ｓ内に挿入し、かつヒンジピン５７を挿通孔６１より上方に突出させたのち、前面板３の隅部における上部と側部の内向片９に穿設した取付孔６３、６３に、低頭ねじ６４、６４を挿入し、両低頭ねじ６４を、後片５６cと内向突片５６dのめねじ孔５９、５９に螺合して締め付けると、ヒンジ５５は、前面板３の上端隅部の空間部Ｓ内に固定される(図５参照)。
【００４６】
ヒンジ５５の取付作業は、後面板４を装着する前に行われるが、図８及び図９に示すように、後面板４は、その後面が、内向片９の後面よりも若干前方に位置するように装着されるので、図５に示すように、基材５６の後片５６cの内方の端縁が、後面板４の後面よりも後方に位置し、内側方に露出するようになる。従って、前面板３の空間部Ｓ内に収容した、固定前のヒンジ５５を、その切欠溝５８に内側方より挿入した工具等により、後面板４を装着したままの状態で、上下に移動させることができる。
【００４７】
図１０に示すように、前面板３の左側端下部(正面視においては右側端下部)の隅部における空間部Ｓ内には、平面視内向きコ字状をなす補強金具６５が、次のようにして取付けられている。
前面板３の右側端下部の隅部における下部と側部の前向片１０、１０に形成された切欠部６６、６６より、補強金具６５を、前面板３の右側端下部の隅部における空間部Ｓ内に挿入したのち、前面板３の隅部における下部と側部の内向片９と、補強金具６５の後面視Ｌ字状をなす後片６５aの下端部とに穿設した２個ずつの取付孔６７、６７に、リベット６８、６８を挿通し、両リベット６８をかしめることにより、補強金具６５は、前面板３の左側端下部の隅部における空間部Ｓ内に固定されている(図５参照)。
【００４８】
図２に示すように、最上位の扉２の右側端上部は、その部分に取付けたヒンジ５５におけるヒンジピン５７の上端部を、横材６９の下面の枢支孔(図示略)に嵌合することにより、回動自在に枢支されている。
また、最上位の扉２の右側端下部は、図１１の拡大縦断面図に示すように、下位の扉２のヒンジ５５により、回動自在に枢支されている。すなわち、上下の扉２の対向面間において、縦仕切材３１の前面に取付けられた扉支持具７０により、上位の扉２の右側端下面を支持し、下位の扉２におけるヒンジ５５のヒンジピン５７を、扉支持具７０を貫通させ、上位の扉２の前面板３における下側の後向片８に穿設した枢支孔７１に挿通することにより、上位の扉２の右側端下部が、下位の扉２のヒンジ５５により回動自在に枢支されている。
【００４９】
このように、上位の扉２の右側端下部を、下位の扉２の右側端上部に設けたヒンジ５５により枢支することにより、上下方向に並ぶ各扉２の右側端部が回動可能に枢支されている。なお、扉２を円滑に開閉しうるように、扉支持具７０の上面と当接する上位の扉２における後向片８の下面に、摩擦抵抗の小さな合成樹脂製のスペーサ７２を取付けてある。
【００５０】
以上説明したように、上記実施形態の施錠装置の取付構造においては、扉２の前面板３と、それに嵌着された把手本体１８の外向片１９との間に、外端部が前面板３の側端部周縁の空間部Ｓ内にがたなく嵌合された補強部材３４を挟入し、この補強部材３４と外向片１９とに、シリンダ錠３３をねじ４５により固定しているので、扉２おける前面板３のシリンダ錠３３の取付部が、把手本体１８の外向片１９と補強部材３４とにより補強され、シリンダ錠３３を、前面板３に強固に取付けることができる。
【００５１】
また、補強部材３４は、その側端部が前面板３の側縁に形成された空間部Ｓ内に、前後方向への動きを規制されて嵌合されているのみであるので、前面板３に、補強部材３４を取付けるための加工を施す必要はなく、かつ組付工数も削減される。
【００５２】
本発明は、上記実施形態に限定されるものではない。
上記実施形態においては、把手本体１８の外向片１９と補強部材３４とに、切欠き３８、３９を設け、これらに、シリンダ錠３３の錠本体３３aを挿通しているが、切欠き３８、３９に代えて、円形または方形等の開口を穿設してもよい。  この際には、外向片１９の開口の全周縁に、補強部材３４の開口に嵌合可能な位置決め片を突設するのがよく、このようにすると、外向片１９に対し、補強部材３４を正確に位置決めすることができる。
【００５３】
上記実施形態は、扉２の左側端部にシリンダ錠３３を取付けた例であるが、上記実施形態の扉２を、９０度回転させた構造とすれば、シリンダ錠３３を、扉２における前面板３の上下の端部にも取付けることができる。
【００５４】
本発明は、上記シューズロッカーの扉以外に、例えばキャビネット等の扉にも適用しうることは勿論である。
【図面の簡単な説明】
【００５５】
【図１】本発明の一実施形態を備えるシューズロッカーの正面図である。
【図２】同じく、一部の拡大正面図である。
【図３】図２のIII-III線拡大横断平面図である。
【図４】扉への枠部材の取付要領を示す拡大横断平面図である。
【図５】扉の拡大後面図である。
【図６】図５のVI-VI線拡大横断平面図である。
【図７】同じく、VII-VII線拡大縦断側図である。
【図８】同じく、VIII-VIII線拡大縦断側面図である。
【図９】同じく、IX-IX線拡大横断平面図である。
【図１０】扉の右側端部の後方斜視図である。
【図１１】図２のXI-XI線拡大縦断側面図である。
【符号の説明】
【００５６】
１    収納室
２    扉
３    前面板
４    後面板
５    取付孔
６    鉤形フランジ
７    緩衝材
８    後向片
９    内向片
１０  前向片
１１  枠部材
１２  側片
１２a 内向折曲部
１３  側片
１４  上片
１５  底片
１６  後片
１７  凹入部
１８  把手本体(把手部材)
１９  外向片
２０  手掛け部
２１  枠状縁片
２２  係合溝
２３  弾性係合片
２４  係合溝
２５  換気孔
２６  窓孔
２７  透明板
２８  ラッチ
２９  垂直軸
３０  捩りばね
３１  縦仕切材
３２  係合孔
３３  シリンダ錠(施錠装置)
３３a 錠本体
３３b キー差込み部
３４  補強部材
３５  基板
３５a 側片
３５b 後片
３６  前片
３７  後向側片
３８  切欠き(開口部)
３９  切欠き(開口部)
４０  位置決め片
４１  通孔
４２  固定金具
４２a 固定片
４３  後向き突片
４４  取付孔
４５  止めねじ
４６  めねじ孔
４７  施解錠レバー
４８  開口
４９  前向片
５０  前向片
５１  外向片
５２  後向片
５３  突片
５４  止めねじ
５５  ヒンジ
５６  基材
５６a 側片
５６b 前片
５６c 後片
５６d 内向突片
５７  ヒンジピン
５８  切欠溝
５９  めねじ孔
６０  切欠部
６１  挿通孔
６２  ストッパ面
６３  取付孔
６４  低頭ねじ
６５  補強金具
６５a 後片
６６  切欠部
６７  取付孔
６８  リベット
６９  横材
７０  扉支持具
７１  枢支孔
７２  スペーサ
Ｓ    空間部
Ｗ    窓
【図１】
0005336104.tif 000002
【図２】
0005336104.tif 000003
【図３】
0005336104.tif 000004
【図４】
0005336104.tif 000005
【図５】
0005336104.tif 000006
【図６】
0005336104.tif 000007
【図７】
0005336104.tif 000008
【図８】
0005336104.tif 000009
【図９】
0005336104.tif 000010
【図１０】
0005336104.tif 000011
【図１１】
0005336104.tif 000012